(57)【要約】【課題】本考案は、美しい視覚効果を備えた水照明の回転構造を提供する。【解決手段】水照明本体と、回転ユニットと、台座とからなる。水照明本体は、中空を呈する本体と、透光性を有する底蓋とからなり、内部は密閉されて若干粘り気のある流動可能な液体が充填される。回転ユニットは、中空本体内部に設けられ、回転ユニットは、上から順番に、立体形態の回転体、固定ブロック、回転盤、固定軸を備える。固定軸は、底蓋に固定され、回転盤は、固定軸外縁に回転可能に嵌め込まれ、回転盤には磁力部材が設けられ、固定ブロックは、固定軸の上方に設けられ、回転体は、固定ブロック上部に設けられる。台座は、上に向いた開口を備え、開口には、水照明本体が固定され、台座内部における水照明本体底部に対応した箇所には、少なくとも一つの発光体が設けられ、台座内部には、磁力部材に吸着される磁力回転盤が設けられる。【選択図】図１
0003183813.tif 000002
【実用新案登録請求の範囲】
【請求項１】
水照明本体と、回転ユニットと、台座とからなる水照明の回転構造であって、
水照明本体は、中空を呈する本体と、透光性を有する底蓋とからなり、内部は密閉されて若干粘り気のある流動可能な液体が充填され、
回転ユニットは、前記中空本体内部に設けられるとともに、前記回転ユニットは、上から順番に、立体形態の回転体、固定ブロック、回転盤、固定軸を備え、
前記固定軸は、前記底蓋に固定され、前記回転盤は、前記固定軸外縁に回転可能に嵌め込まれ、
前記回転盤には磁力部材が設けられ、前記固定ブロックは、前記固定軸の上方に設けられ、前記回転体は、前記固定ブロック上部に設けられ、
前記台座は、上に向いた開口を備え、前記開口には、前記水照明本体が固定され、前記台座内部における前記水照明本体底部に対応する箇所には少なくとも一つの発光体が設けられ、
前記台座内部には、前記磁力部材に吸着される磁力回転盤が設けられ、前記磁力回転盤は、動力部材の駆動を受けて回転し、前記磁力回転盤が回転しているときに、前記回転盤は、吸着された前記磁力回転盤につれて回転することを特徴とする、水照明の回転構造。
【請求項２】
前記回転盤の外縁には、複数の装飾品が間隔を空けて設けられ、前記装飾品は、前記回転盤につれて回転することを特徴とする、請求項１に記載の水照明の回転構造。
【請求項３】
前記固定ブロック底部は、前記回転盤と結合されるとともに、前記回転盤に連動して回転することを特徴とする、請求項１に記載の水照明の回転構造。
【請求項４】
前記発光体は、発光ダイオード（ＬＥＤ、  Ｌｉｇｈｔ  Ｅｍｉｔｉｎｇ  Ｄｏｉｄｅ）であることを特徴とする、請求項１に記載の水照明の回転構造。
【考案の詳細な説明】
【技術分野】
【０００１】
本考案はムード空間に使用される装飾品の置物である水照明の回転構造に関し、特に相互に対応して回転する磁性部材を設けることで、美しい視覚効果を備える水照明の回転構造に関する。
【背景技術】
【０００２】
一般的に、日常生活で机の上に置かれる装飾品には、フォトフレーム、玩具の装飾品等がある。また、それらの装飾の置物は、いずれも、外観の美しさを鑑賞するための静的機能しかもたない。従って、内部にスパンコール、ラメ粉、装飾物等を備える水照明が考案された。それを手でさかさまにして揺らすことにより、或いは、電力により、その内部のスパンコール、ラメ粉、或いは、装飾物が流動する視覚効果を得ることができる。また、水照明内部の物品を変えると異なる視覚効果が生まれるため、様々な視覚効果を得ることができる可能性をひめており、多様な視覚効果を備え、多機能で面白味のある水照明を設計することは、ムード装飾品の研究開発者にとっての課題である。
【考案の概要】
【考案が解決しようとする課題】
【０００３】
そこで、本考案は、美しい視覚効果を備えた水照明の回転構造を提供することを目的とする。
【課題を解決するための手段】
【０００４】
本考案による水照明の回転構造は、主に、水照明本体と、回転ユニットと、台座とからなる。水照明本体は、中空を呈する本体と、透光性を有する底蓋とからなり、内部は密閉されて若干粘り気のある流動可能な液体が充填される。回転ユニットは、前記中空本体内部に設けられ、回転ユニットは、上から順番に、立体形態の回転体、固定ブロック、回転盤、固定軸を備える。前記固定軸は、前記底蓋に固定され、前記回転盤は、前記固定軸外縁に回転可能に嵌め込まれ、前記回転盤には磁力部材が設けられ、前記固定ブロックは、前記固定軸の上方に設けられ、前記回転体は、前記固定ブロック上部に設けられる。前記台座は、上に向いた開口を備え、前記開口には、前記水照明本体が固定され、前記台座内部における前記水照明本体底部に対応した箇所には、少なくとも一つの発光体が設けられ、前記台座内部には、前記磁力部材に吸着される磁力回転盤が設けられ、前記磁力回転盤は動力部材の駆動を受けて回転し、前記磁力回転盤が回転しているときに、前記回転盤は、吸着された前記磁力回転盤につれて回転する。
【考案の効果】
【０００５】
以上の構造により、本考案は、光が照射された水照明本体により美しい視覚効果を備えるとともに、回転するという動的な視覚効果も備えさせることができる。
【図面の簡単な説明】
【０００６】
【図１】本考案の分解斜視図である。
【図２】本考案の使用状態を示した概略図である。
【図３】本考案の回転ユニットの分解斜視図である。
【図４】本考案の実施例の使用状態を示した概略図である。
【考案を実施するための形態】
【０００７】
まず、図１から図３を参照する。図１から図３は、本考案の水照明の回転構造の外観を示した斜視図及び断面図である。本考案は、主に、水照明本体１と、台座２とからなる。
【０００８】
水照明本体１は、中空を呈する本体１０と、透光性を有する底蓋１１とからなる透光性を有する立体形態であり、内部は密閉されて若干粘り気のある流動可能な液体が充填される。水照明本体１の内部には回転ユニット３が設けられ、回転ユニット３は、立体形態の回転体３１と、固定ブロック３２と、回転盤３３と、固定軸３４とからなり、固定軸３４は、底蓋１１に固定され、回転盤３３は、固定軸３４外縁に回転可能に嵌め込まれる。また、回転盤３３には、少なくとも一つの磁力部材３３１が設けられる。なお、本実施例においては、三つの磁力部材３３１が設けられ、固定ブロック３２は、固定軸３４の上方に設けられ、回転体３１は、固定ブロック３２上部に設けられる。
【０００９】
台座２は、上に向けた開口２１を備え、開口２１には水照明本体１が固定され、台座２内部における水照明本体１の底蓋１１に対応する箇所には、少なくとも一つの発光体２２が設けられ、発光体２２は、透光性を有する水照明本体１へ光を照射し、それにより、美しい視覚効果が増す。台座２内部には、磁力部材３３１に吸着する磁力回転盤２４が設けられ、磁力回転盤２４は、動力部材２５の駆動を受けて回転する。磁力回転盤２４が回転しているとき、回転盤３３は、吸着された磁力回転盤２４につれて回転する。また、回転盤３３外縁には、複数の装飾品３５が間隔を空けて設けられ、回転盤３３につれて回転する。
【００１０】
また、動力部材２５の動力駆動は、スイッチ２５１で制御される。また、その電力源として、電池を取り付けることも、或いは、交流、直流電力によって供給することもできる。その電力源は多岐にわたる上、本考案の実用新案登録請求の範囲のポイントではないため、ここでは記載を省略する。
【００１１】
次に、図４を参照する。図４は、本考案の実施例を示している。回転ユニット３の固定ブロック３２底部は、回転盤３３と結合させることで、回転盤３３に連動して回転し、それにより、固定ブロック３２上方に設けられた回転体３１も連動して回転し、多様な視覚効果を得ることができる。本実施例において、台座２の下部には、パーティション２６が横向きに設けられ、パーティション２６上部には、動力部材２５が取り付けられる。動力部材２５には、台座２外部に配置されたスイッチ２５１が連結される。スイッチ２５１によって動力部材２５が起動され、磁力回転盤２４を駆動させる。磁力回転盤２４における回転盤３３に対応する箇所には、三つの磁気部材２４２が設けられ、動力部材２５の周りには、積載フレーム２３が設けられる。同時に、積載フレーム２３から台座２の開口２１へと上に向かう箇所には、二つの発光体２２が間隔を空けて設けられ、二つの発光体２２は発光ダイオード（ＬＥＤ、  Ｌｉｇｈｔ  Ｅｍｉｔｉｎｇ  Ｄｏｉｄｅ）である。また、水照明本体１は、台座２開口２１に嵌め込まれ、磁力回転盤２４上の磁気部材２４２は、水照明本体１内部の磁力部材１３を吸着する。
【００１２】
回転体３１は立体形態であり、回転盤３３が回転することにより、連動した外縁の装飾品３５或いは回転体３１が回転し、それにより、回転体３１と装飾品３５が水照明本体１内部の液体及び底部に沈んだスパンコール、ラメ粉を動かす。
【００１３】
スイッチ２５１をオンにすると、動力部材２５が磁力回転盤２４を駆動させ、動力部材２５に連動して磁気部材２４２が回転する。水照明本体１内部の回転盤３３は、それに連動して回転し、それにより、水照明本体１内部の液体が回転盤３３の動きによって流動するという視覚効果を得ることができる。それと同時に、発光体２２も発光して、水照明本体１底部から透光性をもつ水照明本体１へと照射することによって、美しい視覚効果を増すことができる。
【００１４】
上述の内容をまとめると、各構成部材の組み合わせ及び使用実施例の説明から分かるように、本考案の回転式水照明構造は、以下のいくつかの利点がある。詳細な説明は以下の通りである。
１、本考案の水照明の回転構造内の台座開口における水照明本体底部に対応する箇所には発光体が設けられている。この発光体を利用して、透光性を備える水照明本体を照射することにより、美しさの視覚効果を増すことができる。
２．本考案の水照明の回転構造内の水照明本体内部には、回転ユニットが設けられており、回転盤外縁の装飾品３５或いは回転体３１を回転させることにより、液体及びスパンコール、ラメ粉を動かすことで、回転するという動的効果を得ることができる。
【符号の説明】
【００１５】
１      水照明本体
１０    本体
１１    底蓋
２      台座
２１    開口
２２    発光体
２３    積載フレーム
２４    磁力回転盤
２４２  磁気部材
２５    動力部材
２５１  スイッチ
２６    パーティション
３      回転ユニット
３１    回転体
３２    固定ブロック
３３    回転盤
３３１  磁力部材
３４    固定軸
３５    装飾品
【図１】
0003183813.tif 000003
【図２】
0003183813.tif 000004
【図３】
0003183813.tif 000005
【図４】
0003183813.tif 000006